(57)【要約】【課題】収納スペースの出入口が屋内側及び屋外側の両方に設けられた、物品の出し入れが容易なスキップフロア型建物を提供する。【解決手段】半階ずらせた床３，４を設け、半階上の床３下に収納スペース２を設けてなるスキップフロア型建物１であって、前記収納スペース２の出入口を屋内側２１及び屋外側２２の両方に面して設けられていることを特徴とする建物１である。【選択図】　図１
2004143770.tif 000002
【特許請求の範囲】
【請求項１】
半階ずらせた床を設け、半階上の床下に収納スペースを設けてなるスキップフロア型建物であって、前記収納スペースの出入口を屋内側及び屋外側の両方に面して設けられていることを特徴とする建物。
【請求項２】
階数が少なくとも２階の建物であって、２階に収納スペースが設けられ、前記収納スペースと居室スペースとを半階ずらせて配置してなるスキップフロア型建物において、前記収納スペースの出入口を屋内側及び屋外側のバルコニーの両方に面して設けられていることを特徴とする建物。
【請求項３】
請求項１，２のいずれかに記載の建物において、前記屋外側の出入口がドアであることを特徴とする建物。
【発明の詳細な説明】
【０００１】
【発明の属する技術分野】
本発明は、収納スペースの出入口が屋内側及び屋外側の両方に設けられた、物品の出し入れが容易なスキップフロア型建物に関する。
【０００２】
【従来の技術】
従来、建物の収納スペースとしては、押入れや天井裏収納スペースや床下収納スペース等が設けられる。又、階段下収納は、建物に取り付けられる階段に合わせて色々な種類のものが用いられており、建物内のデッドスペースを有効利用した便利な収納スペースである。（例えば、特許文献１参照）。
【０００３】
また、スキップフロア型建物であって、半階ずらせた床を設け、半階上の床下に収納スペースを設け、収納スペースの出入口を屋内側に設けられた、物品の出し入れが容易な建物がある。（例えば、特許文献２参照）。
【０００４】
【特許文献１】
特開２０００−２５７２５１号公報
【特許文献２】
特許第２９１２７９７号公報
【０００５】
【発明が解決しようとする課題】
しかしながら、特許文献１に記載のものは、階段下の空間のみが収納スペースであるので床面積が小さいとい制約がある。また、屋外側の出入口がシャッターであるのでシャッターボックスが突出し体裁が良くないとい問題がある。
また、特許文献２に記載のものは、収納スペースの出入口は屋内側の居室に限定されているので、建物の外から出し入れすることができないという問題がある。
【０００６】
本発明は、上記の問題点に着目してなされたものであり、その目的は、これらの問題点を解消し、建物内外からの物の出し入れが容易な収納スペースを有するスキップフロア型建物を提供するものである。
【０００７】
【課題を解決するための手段】
請求項１記載の発明は、半階ずらせた床を設け、半階上の床下に収納スペースを設けてなるスキップフロア型建物であって、前記収納スペースの出入口を屋内側及び屋外側の両方に面して設けられていることを特徴とする建物である。
【０００８】
請求項２記載の発明は、階数が少なくとも２階の建物であって、２階に収納スペースが設けられ、前記収納スペースと居室スペースとを半階ずらせて配置してなるスキップフロア型建物において、前記収納スペースの出入口を屋内側及び屋外側のバルコニーの両方に面して設けられていることを特徴とする建物である。
【０００９】
請求項３記載の発明は、請求項１，２のいずれかに記載の建物において、前記屋外側の出入口がドアであることを特徴とする建物である。
【００１０】
【作用】
請求項１記載の構成によれば、半階ずらせた床を設け、半階上の床下に収納スペースを設けてなるスキップフロア型建物であって、前記収納スペースの出入口を屋内側及び屋外側の両方に面して設けられているから、建物内外からの物の出し入れが容易にできる。
【００１１】
請求項２記載の構成によれば、階数が少なくとも２階の建物であって、２階に収納スペースが設けられ、前記収納スペースと居室スペースとを半階ずらせて配置してなるスキップフロア型建物において、前記収納スペースの出入口を屋内側及び屋外側のバルコニーの両方に面して設けられているので、２階に設けられた収納スペースは屋内のみならず、バルコニーからの出し入れが容易にできる。
【００１２】
請求項３記載の構成によれば、請求項１，２のいずれかに記載の建物において、前記屋外側の出入口がドアであるので、シャッターにおけるシャッターボックスのような突出部分がなく、建物の外観がスッキリしたものとなる。
【００１３】
【発明の実施の形態】
以下、本発明の実施例１を図１（イ）及び図１（ロ）を参照して説明する。
図１（イ）は、実施例１のスキップフロア型建物の全体縦断面図、図１（ロ）は１階部分のイメージ図である。
図１において、１はスキップフロア型建物、２は収納スペース、２１は屋内側出入口、２２は屋外側出入口、３はスキップフロア、３１は窓、３２は出入口、３３はテーブル、４は１階の床面、５はスキップフロアに通ずる階段、６は２階床面、７は建物の外壁、８は間仕切壁、９は屋根である。
【００１４】
収納スペース１は、１階部分のスキップフロア３の下部に設けられている。スキップフロア３と１階の床面との段差（ｈ１）は１．４０ｍあり、大型の備品を収納することができる。間仕切壁８側に出入口２１があり、屋内の居室側から利用できるのはもとより、建物の外壁７側にも出入口２２があり、屋外側からも利用することができ、物品の出し入れが容易である。屋外側の出入口２２はドアが取り付けられているので、屋外側にシャッターボックスのような突出物がなく、体裁が良い。
【００１５】
本実施例１によれば、収納スペース２には高さ１．４０ｍでスキップフロア全面積分の大容量の室内空間が得られるので、室内で使う大きな備品類、例えば雛人形、季節の服、家具等を収納することができ、出し入れも室内側の出入口２１を通じて容易に作業ができる。また、室外で使う大きな備品類、例えばゴルフバッグ、つり道具、スキー板等の長尺物を屋外側の出入口２２を通じて出し入れが容易にできる。
【００１６】
また、本実施例１によれば、収納スペース２を利用して各種設備が設置されても良い。例えば、空調機の室内機を収納スペース２の屋内側の間仕切壁８に吹き出し口を設けることにより、室内側に余分な突出部分がなく、体裁が良い。さらにまた、屋内側と屋外側と両方の出入口２１，２２があるので搬出ゴミやビールケース等の一時ストックや搬入搬出場所として利用されても良い。
【００１７】
図２（イ）及び図２（ロ）には本発明の実施例２が示されている。前記第１実施例における収納スペースが１階居室部分のスキップフロアに設けられたものであったのを、本実施例では、収納スペースが２階にスキップフロアが設けられ、屋外側の出入口がベランダに設けられたものである。
【００１８】
図２（イ）は、実施例２のスキップフロア型建物の全体縦断面図、図２（ロ）は２階部分の平面図である。
図２において、４０はスキップフロア型建物、４１は収納スペース、４２は２階部分に設けられたスキップフロア、４３は２階の床面、４４は２階の天井面、４５は建物外壁、４５１はドア、４６は間仕切壁、４６２はドア、４７はバルコニー、４８は屋根、４９は１階部分、５０は２階部分、５１はスキップフロアに通ずる階段である。
【００１９】
収納スペース４１は、２階部分のスキップフロア４２の下部に設けられている。スキップフロア４２は建物外壁４５にドア４５１を通じてバルコニー４７と出入りすることができる。また、間仕切壁４６側にドア４６２があり、屋内の２階居室側からも利用できる。本実施例においても、屋内側及び屋外側のバルコニーから物品の出し入れができ、作業が容易である。屋外側（バルコニー）はドア４５１が取り付けられているので、屋外側にシャッターボックスのような突出物がなく、体裁が良い。
【００２０】
本実施例２によれば、収納スペース４１には実施例１と同様に室内で使う大きな備品類の収納として利用される他、屋内側の間仕切壁４６のドア４６２と屋外側の建物外壁４５のドア４５１を通じてバルコニーにも出入できるので、例えば洗濯機を収納スペース４１内に設置することにより、洗濯物を直ぐ外のバルコニーで干すことができ便利である。あるいは急に雨が降り出したとき一時的に洗濯物を干す場所として利用することもできる。
【００２１】
以上、本発明の実施例を図面に基づいて説明してきたが、具体的な構成はこの実施例に限られるものではなく本発明の要旨を逸脱しない範囲の設計変更等があっても本発明に含まれる。
【００２２】
【発明の効果】
以上説明してきたように、請求項１記載の発明は、半階ずらせた床を設け、半階上の床下に収納スペースを設けてなるスキップフロア型建物であって、前記収納スペースの出入口を屋内側及び屋外側の両方に面して設けられているから、建物内外からの物の出し入れが容易にできる。
【００２３】
請求項２記載の発明は、階数が少なくとも２階の建物であって、２階に収納スペースが設けられ、前記収納スペースと居室スペースとを半階ずらせて配置してなるスキップフロア型建物において、前記収納スペースの出入口を屋内側及び屋外側のバルコニーの両方に面して設けられているので、２階に設けられた収納スペースは屋内のみならず、バルコニーからの出し入れが容易にできる。
【００２４】
請求項３記載の発明は、請求項１，２のいずれかに記載の建物において、前記屋外側の出入口がドアであるので、シャッターにおけるシャッターボックスのような突出部分がなく、建物の外観がスッキリしたものとなる。
【図面の簡単な説明】
【図１】図１（イ）は、実施例１のスキップフロア型建物の全体縦断面図、図１（ロ）は１階部分のイメージ図である。
【図２】図２（イ）は、実施例２のスキップフロア型建物の全体縦断面図、図２（ロ）は２階部分の平面図である。
【符号の説明】
１、４０　　　　　スキップフロア型建物
２，４１　　　　　収納スペース
２１　　　　　　　　　　　　　　屋内側出入口
２２　　　　　　　　　　　　　　屋外側出入口
３、４２　　　　　スキップフロア
４　　　　　　　　　　　一階床面
５，５１　　　　　階段
６、４３　　　　　　　　　　２階床面
７，４５　　　　　　　　　　建物外壁
８、４６　　　　　間仕切壁
９，４８　　　　　屋根
【図１】
2004143770.tif 000003
【図２】
2004143770.tif 000004